(57)【特許請求の範囲】
【請求項１】
食品等を収納し冷却保存する収納庫において、ＤＣモータを搭載したＤＣコンプレッサと前記ＤＣコンプレッサを駆動し、ＤＣコンプレッサの駆動デューティを出力するインバータ制御手段と、前記ＤＣコンプレッサの動作及び停止を決定し、前記インバータ制御手段に動作及び運転回転数及び停止信号を出力する温度判定手段と、電力演算手段と、前記電力演算手段で演算された電力を表示手段に出力する制御手段と、前記制御手段の出力により電力を表示する表示手段からなり、前記電力演算手段は前記インバータ制御手段から前記ＤＣコンプレッサを運転するデューティ値と前記温度判定手段からの運転回転数から消費電力を演算することを特徴とする収納庫。
【請求項２】
電力演算手段で演算された電力から消費電力量を演算する電力量演算手段と、前記電力量演算手段で演算された電力量を表示手段に出力する制御手段と、前記制御手段の出力により電力量を表示する請求項１に記載の収納庫。
【請求項３】
収納庫の周辺の外気温度を検出する外気温度検出手段と前記外気温度検出手段で検出された外気温で電力を補正する制御手段と、前記制御手段の出力により演算結果を表示する請求項１に記載の収納庫。
【請求項４】
電力量を記憶する電力量記憶手段と、前記電力量記憶手段に記憶された電力量と前記電力量演算手段で演算された電力量を比較する電力量比較手段と、前記電力量比較手段で比較された結果を表示手段に出力する制御手段と、前記制御手段の出力により比較結果を表示する請求項１または２に記載の収納庫。
【請求項５】
単位あたりの電力代を記憶した電力代記憶手段と前記電力量演算手段で演算された電力量を乗算する電力代演算回路と乗算結果を表示手段に出力する制御手段と、前記制御手段の出力により電力代を表示する請求項２または４に記載の収納庫。
【発明の詳細な説明】
【０００１】
【発明の属する技術分野】
本発明は、食品等を保存する収納庫の表示装置に関するものである。
【０００２】
【従来の技術】
従来、冷蔵庫等の収納庫にの表示としては庫内温度や設定温度を知らせものがある。
【０００３】
以下、図１０を参照しながら、従来の冷蔵庫を説明する。
【０００４】
図１０において、１０１は冷蔵庫本体で、区画壁１０２により上部に冷凍室１０３、下部に冷蔵室１０４が区画形成されている。１０５は冷凍サイクルの冷却器、１０６は冷却器１０５で冷却された冷気を冷凍室１０３，冷蔵室１０４に強制通風させるためのファンであり、通常冷凍サイクルのコンプレッサ１０７と同期して運転するよう構成されている。また、１０８は冷凍室１０３内に設けられたサーミスタ等の温度センサであり、１０９はドア１１０面に設けられた表示手段である。
【０００５】
１１１は温度センサ１０８の温度を検出する温度検出手段である。１１２は温度検出手段１１１で検出された庫内温度に基づいて庫内温度を調節する温度判定手段であり、コンプレッサ１０７とファン１０６の運転、停止を決定し、コンプレッサ制御手段１１３に出力する。
【０００６】
コンプレッサ制御手段１１３は、温度判定手段１１２の決定に従い、コンプレッサ１０７とファン１０６の運転、停止を行う。
【０００７】
以上のように構成された冷蔵庫の制御装置について図１１のフローチャートを参照しながら、以下その動作を説明する。
【０００８】
図１１は、マイクロコンピュータ（以下、マイコンという。）に記憶されている制御プログラムの全体を示す概略フローチャートである。まず、電源を投入した後、ステップ１００として温度検出手段１１１で温度センサ１０８の温度を検出し、ステップ１０１の温度判定手段１１２で冷凍室１０３の庫内温度が設定値より高いかどうか判定し、高い場合はステップ１０２でコンプレッサ１０７とファン１０６の運転をコンプレッサ制御手段１１３に出力し、コンプレッサ制御手段１１３は、コンプレッサ１０７とファン１０６を運転する。
【０００９】
庫内温度が設定値より低い場合はステップ１０３でコンプレッサ１０７とファン１０６の停止をコンプレッサ制御手段１１３に出力し、コンプレッサ制御手段１１３は、コンプレッサ１０７とファン１０６を停止する。
【００１０】
また、ステップ１０４で温度検出手段１１１にて検出された温度を表示手段１０９に出力し、ステップ１０５で表示手段１０９は庫内温度を表示する。
【００１１】
そして、ステップ１００に戻り同様の動作を以後繰返して通常の冷却作用が行われると共に、冷蔵庫の温度が表示される。
【００１２】
このように庫内温度を表示し、使用者に庫内が冷却されていることを知らせ、安心感をあたえるものである。
【００１３】
【発明が解決しようとする課題】
しかしながら、近年の省エネの要求に対して収納庫自体の省エネが進められているが、消費電力や消費電力量表示できるものが望まれており、このような構成では庫内温度を使用者に知らせることはできるが、消費電力や消費電力量、を知るということができないという問題点があった。
【００１４】
本発明は、収納庫の消費電力や消費電力量または電力代を使用者に知らせることを目的としている。
【００１５】
【課題を解決するための手段】
この課題を解決するために本発明の請求項１に記載の発明は、食品等を収納し冷却保存する収納庫において、ＤＣモータを搭載したＤＣコンプレッサと前記ＤＣコンプレッサを駆動し、ＤＣコンプレッサの駆動デューティを出力するインバータ制御手段と、前記ＤＣコンプレッサの動作及び停止を決定し、前記インバータ制御手段に動作及び運転回転数及び停止信号を出力する温度判定手段と、電力演算手段と、前記電力演算手段で演算された電力を表示手段に出力する制御手段と、前記制御手段の出力により電力を表示する表示手段からなり、前記電力演算手段は前記インバータ制御手段から前記ＤＣコンプレッサを運転するデューティ値と前記温度判定手段からの運転回転数から消費電力を演算するため電流検出をする必要がなく電力を演算でき、また収納庫の電力を表示し、使用者に現在の消費電力を知らせるという作用を有する。
【００１６】
請求項２に記載の発明は、電力演算手段で演算された電力から電力量演算手段で消費電力量を演算し、制御手段で電力量を表示手段に出力し、表示手段で電力量を表示するため、収納庫の電力量を表示し、使用者に１日或いは１ヶ月間の消費電力量を知らせるという作用を有する。
【００１７】
請求項３に記載の発明は、外気温度検出手段と制御手段で外気温度検出手段で検出された外気温により電力を補正するため外気温度により消費電力の補正をすることができ電力量の精度の向上が図れるという作用を有する。
【００１８】
請求項４に記載の発明は、電力量記憶手段で電力量を記憶し、電力量比較手段で電力量記憶手段に記憶された電力量と電力量演算手段で演算された電力量を比較し、制御手段で比較結果を表示手段に出力し、表示手段で比較結果を表示するため、前日に対する今日の電力量の増減或いは先月に対する今月の電力量の増減を表示することができ、使用者に消費電力量の変化を知らせるという作用を有する。
【００１９】
請求項５に記載の発明は、単位あたりの電力代を記憶した電力代記憶手段と電力量演算手段で演算された電力量から電力代を演算し、演算結果を表示手段に出力するため電気代が表示できるという作用を有する。
【００２０】
【発明の実施の形態】
以下、本発明の実施の形態について、図面を参照しながら説明する。
【００２１】
尚、従来の技術と同一構成のものは同一符号を付与し、その詳細な説明は省略する。
【００２２】
（参考例１）
図１は本発明の参考例１における表示装置のブロック図、図２は本発明の参考例１における表示装置の動作を説明するためのフローチャートである。
【００２３】
図１において、１はコンプレッサの入力電流を検出する電流検出手段、２は電流検出手段１で検出した電流から消費電力を演算する電力演算手段で、消費電力を電力量演算手段３と制御手段４に出力する。
【００２４】
電力量演算手段３は電力演算手段からの電力を例えば２４時間積算し１日の消費電力量を演算し、制御手段４に消費電力量を出力する。
【００２５】
５は切替手段で電力演算手段２からの電力値か電力量演算手段３からの電力量値、或いは温度検出手段１１１からのいずれの内容を表示するかの信号を制御手段４に入力し、使用者により切り替えられるものである。
【００２６】
制御手段４は切替手段５の信号に基づきの電力演算手段２からの電力値か電力量演算手段３からの電力量値あるいは温度検出手段からの庫内温度のどれかを通信手段７に出力し、通信手段６は表示手段７にその信号を送信する。
【００２７】
表示手段７通信手段の内容を表示するものである。
【００２８】
以上のように構成された冷蔵庫の表示装置について図２のフローチャートを用いてその動作を説明する。
【００２９】
まず、電源を投入した後、ステップ１して温度検出手段１１１で温度センサ１０８の温度を検出し、ステップ２は温度判定手段１１２で冷凍室１０３の庫内温度が設定値より高いかどうか判定し、高い場合はステップ３でコンプレッサ１０７とファン１０６の運転をコンプレッサ制御手段１１３に出力し、コンプレッサ制御手段１１３は、コンプレッサ１０７とファン１０６を運転する。
【００３０】
庫内温度が設定値より低い場合はステップ４でコンプレッサ１０７とファン１０６の停止をコンプレッサ制御手段１１３に出力し、コンプレッサ制御手段１１３は、コンプレッサ１０７とファン１０６を停止する。
【００３１】
次に、ステップ５入力電流を電流検出手段１により入力し、ステップ６消費電力を電力演算手段３で演算する。
【００３２】
次に、ステップ７電力量演算手段３は電力量を積算する。消費電力量は例えば消費した電力量を２４時間積算したものを１日の消費費電力量とするものである。
【００３３】
次に、ステップ８電力量演算手段３が２４時間電力量を積算したかを判断し、２４時間積算すればステップ９で１日の消費電力量とし、次回からは新たに２４時間の消費電力量の積算を開始する。ステップ９で決定された１日の消費電力量は新たに積算された消費電力量が決定するまで有効である。
【００３４】
また、ステップ８で２４時間積算していなければ１日の消費電力量を決定せずステップ１０に進む。
【００３５】
ステップ１０で制御手段４は切替手段５が温度表示になっているかの判段を行い、温度表示であればステップ１１で温度検出手段１１１から庫内温度を入力しその内容を通信手段６に出力する。
【００３６】
また、ステップ１０で温度表示になっていなけらばステップ１２で電力表示か或いは電力量表示かの判断を行い、電力表示であればステップ１３で電力演算手段２から電力を入力し、その内容を通信手段６に出力し、電力量表示であればステップ１４で電力量演算手段３から電力量を入力し、その内容を通信手段６に出力する。
【００３７】
そして、ステップ１５で通信手段６は制御手段４からの内容を表示手段７に出力し、ステップ１７で表示手段７は送信された内容を表示する。
【００３８】
このように、電力を表示するので、使用者に現在の消費電力を知らせることができる。
【００３９】
また、電力から消費電力量を演算し、表示するため収納庫の電力量を表示し、使用者に１日或いは１ヶ月間の消費電力量を知らせることができる。
【００４０】
また、通信手段６で表示内容を送信するため、離れた場所においても電力、電力量を表示できる。
【００４１】
また、切替手段５により、使用者が知りたい表示内容を選択することができる。
【００４２】
（実施の形態１）
図３は本発明の実施の形態１における表示装置のブロック図、図４は本発明の実施の形態１における表示装置の動作を説明するためのフローチャートである。なお、図３で従来の技術と同一の構成には、同一の符号を付与し、その詳細な説明を省略する。
【００４３】
１０はＤＣモータを搭載したＤＣコンプレッサ、１１は温度検出手段１１１で検出された庫内温度に基づいて庫内温度を調節する温度判定手段であり、ＤＣコンプレッサ１０の回転数指令をインバータ制御手段１２に出力する。これは例えば、庫内温度が−２０℃以下の時は０、庫内温度が−２０〜−１８℃の時は２４００ｒｐｓ、庫内温度が−１８〜−１６℃の時は３６００ｒｐｓ、庫内温度が−１６℃以上の時は４８００ｒｐｓの回転数指令をインバータ制御手段１２に出力するものである。インバータ制御手段１２は図４に示す構成である。
【００４４】
図５において１２−１は交流電源、１２−２は交流電源を直流に変換する整流回路、１２−３は直流を平滑するコンデンサ、１２−４はＤＣコンプレッサ２０を駆動するパワー回路、１２−５は駆動回路であり、温度判定手段１１１からの回転数指令をでＤＣコンプレッサ１０を運転する波形をパワー回路１２−４に出力する。
【００４５】
１２−６はファン駆動回路であり、温度判定手段１１１からの回転数指令が０でなければ、ファン１０６を運転し、０であればファン１０６を停止する。
【００４６】
駆動回路１２−５の波形は図６に示すように、ＤＣコンプレッサ１０のＤＣモータの位置検出した位置信号Ｘ、Ｙ、Ｚに従いパワー回路にＤＣモータを運転するドライブ信号Ａ、／Ａ、Ｂ、／Ｂ、Ｃ、／Ｃを出力し、更に回転数を一定に保つために電圧制御信号を出力する。この電圧制御信号はＯＮ時には平滑コンデンサ１２−３の両端電圧のＶＤＣがＤＣコンプレッサ１０へ供給され、ＯＦＦ時には平滑コンデンサ１２−３の両端電圧のＶＤＣがＤＣコンプレッサ１０へ供給されくなる。
【００４７】
図６（イ）に示すように、ＯＮ時間が全体時間（ＯＮ時間＋ＯＦＦ時間）に占める割合であるデューティが大きい場合はＯＮ時間が長くなり、平滑コンデンサ１２−３の両端電圧のＶＤＣがＤＣコンプレッサ１０へ供給される時間が長くなるため、電圧供給が大きくなりＤＣコンプレッサ１０は高回転で回転し、図６（ロ）に示すように、デューティが小さい場合はＯＮ時間が短くなり、平滑コンデンサ１２−３の両端電圧のＶＤＣがＤＣコンプレッサ１０へ供給される時間が短くなるため、ＤＣコンプレッサ１０への電圧供給が小さくなりＤＣコンプレッサ１０は低回転で回転する。
【００４８】
よって、庫内が高温等の場合は、ＤＣモータへの負荷が大きくなり、同一のデューティでも回転数が低下してしまう。負荷に関わらず回転数を一定に保つためには、負荷が大きい時には回転数が一定となるようデューティを上昇させ、負荷が小さいときには、デューティを低下させる。
【００４９】
図７はＤＣコンプレッサ１０の回転数別のインバータ制御手段１２のＤＣコンプレッサ１０を運転するために出力するデューティと電力の関係を示す特性図である。
【００５０】
太線は高外気温時のデューティと電力との関係を示し、細線は低外気温時のデューティと電力との関係を示したものである。
【００５１】
回転数とデューティがわかれば電力が予測できることを示しており、例えば高外気温時に回転数２４００ｒｐｓでデューティがｍ％であれば、電力はｎＷとなる。
【００５２】
これは、ＤＣモータは負荷によりモータ電流が決まり、負荷によりデューティを変化させて回転数を一定に保つことでデューティによりモータ電流が予測できることによるもので、入力電圧を一定、例えば１００Ｖ、としてデューティにより電力を求められる。また入力電圧が変わる場合は入力電圧検出用の回路を設け、入力電圧により補正することもできる。
【００５３】
また、外気温度により同一のデューティで電力差があるのはＤＣモータの温度によるもので、モータの温度が低ければ効率がよくなり電力が低下する。
【００５４】
１３は電力演算手段であり、インバータ制御手段１２のデュ−ティと温度判定手段１１からの回転数指令及び収納庫の周辺の外気温度を検出する外気温度検出手段１４からの外気温度から消費電力を演算し、消費電力を電力量演算手段３と制御手段１８に出力する。
【００５５】
電力量演算手段３は電力演算手段１３からの電力を積算し、制御手段１８と電力代演算手段１５に消費電力量を出力する。
【００５６】
また積算時間が２４時間になれば電力代演算手段１５は電力量演算手段３からの消費電力量に電力代記憶手段１６から単位あたりの電力代、例えば１ｋｗｈが２５円を乗算してその結果を制御手段１８に出力する。
【００５７】
１７は電力代入力手段であり、単位あたりの電力代が変わったときに単位あたりの電力代を入力するもので、スイッチあるいはインターネットを通じて自動で入力してもよい。この入力された値は、電力代記憶手段１６に記憶される。
【００５８】
制御手段１８は、切替手段１９の信号に基づき電力演算手段１３からの電力値か電力量演算手段３からの電力量値または電力代演算手段１５からの電力代または庫内温度を選択し、通信手段７に出力し、通信手段６は表示手段７にその信号を送信する。
【００５９】
以上のように構成された冷蔵庫の表示装置について図４のフローチャートを用いてその動作を説明する。
【００６０】
まず、電源を投入した後、ステップ２０で電気代入力手段１７は単位あたりの電気代を入力し、ステップ２１で入力があったかを判断する。
【００６１】
ステップ２１で入力があればステップ２２に進み電気代記憶手段１６に記憶し、入力がなければステップ２３に進む。
【００６２】
入力がない場合、電気代記憶手段１６は前回入力された値を記憶しており、１度も入力されない場合は初期値としてある値例えば２５円を記憶している。
【００６３】
次に、ステップ２３は温度検出手段１１１で温度センサ１０８の温度を検出し、ステップ２４は温度判定手段１１で冷凍室１０３の庫内温度を判定し、ステップ２５でＤＣコンプレッサ１０の運転回転数を送出し、ステップ２６でインバータ制御手段１２は、ＤＣコンプレッサ１０とファン１０６を運転する。
【００６４】
次に、ステップ２７で電力演算手段１３はインバータ制御手段１２からＤＣコンプレッサ１０を運転するデューティ値と温度判定手段１１から運転回転数を、外気温度検出手段１４から外気温度を入力し、ステップ２８で消費電力を電力演算手段１３で演算する。
【００６５】
次に、ステップ２９で、電力量演算手段３は消費電力量を積算する。
【００６６】
次に、ステップ３０で電力量演算手段３が２４時間電力量を積算したかを判断し、２４時間積算すればステップ３１で１日の消費電力量を決定し、次回からは新たに２４時間の消費電力量の積算を開始する。ステップ３１で決定された１日の消費電力量は新たに積算された消費電力量が決定するまで有効である。
【００６７】
また、ステップ３１では、電力代演算手段１５は決定された１日の消費電力量と、電気代記憶手段１６に記憶されている単位あたりの電気代から、１日の電気代を演算する。
【００６８】
ステップ３０で２４時間積算していなければ、１日の消費電力量を決定せずステップ６に進む。
【００６９】
ステップ３２で制御手段１８は切替手段１９が温度表示になっているかの判段を行い、温度表示であればステップ３３で温度検出手段１１１から庫内温度を入力しその内容を通信手段６に出力する。
【００７０】
また、ステップ３２で温度表示になっていなければ、ステップ３４で電力表示か或いは電力量表示かの判断を行い、電力表示であればステップ３５で電力演算手段１３から電力を入力し、その内容を通信手段６に出力する。
【００７１】
ステップ３４で電力量表示になっていなければ、ステップ３６で電力量表示か或いは電気代表示かの判断を行い、電力量表示であればステップ３７で電力量演算手段１３から電力量を入力し、その内容を通信手段６に出力し、電力代表示であればステップ３８で電力代演算手段１５から電力代を入力し、その内容を通信手段６出力する。
【００７２】
そして、ステップ３９で通信手段６は制御手段１８からの内容を表示手段７に出力し、ステップ４０で表示手段７は送信された内容を表示する。
【００７３】
このように、電力を表示するので、使用者に現在の消費電力を知らせることができ、ＤＣコンプレッサ１０の回転数とデューティから電力を演算するため電流検出が不要となる。
【００７４】
また、電力から消費電力量を演算し、表示するため収納庫の電力量を表示し、使用者に１日或いは１ヶ月間の消費電力量を知らせることができる。
【００７５】
また、消費電力量と単位あたりの電気代から電気代を演算し、表示するため収納庫の電力代を表示し、使用者に１日或いは１ヶ月間の電力代を知らせることができ、単位あたりの電気代が変わっても新たに電気代を入力でき正しい電気代表示が出きる。
【００７６】
また、通信手段６で表示内容を送信するため、離れた場所においても電力、電力量を表示できる。
【００７７】
また切替手段１９により、使用者が知りたい表示内容を選択することができる。
【００７８】
（実施の形態２）
図８は本発明の第２の実施の形態における表示装置のブロック図、図９は本発明の実施の形態２における表示装置の動作を説明するためのフローチャートである。なお、上述の各実施の形態及び従来の技術と同一の構成には、同一の符号を付与し、その詳細な説明を省略する。
【００７９】
２０は電力量演算手段であり、電力演算手段１３からの電力を積算し、制御手段２３に出力する。
【００８０】
また、２４時間積算すれば電力量記憶手段２１、電力量比較手段２２に消費電力量を出力する。
【００８１】
電力量記憶手段２１は、電力量演算手段２０で２４時間積算された消費電力量を記憶し、その値を電力量比較手段２２、制御手段２３に出力する。
【００８２】
電力量比較手段２２は、電力量演算手段２０からの出力があれば電力量記憶手段２１の値と、電力量演算手段２０からの消費電力量を比較し、電力量記憶手段２１の値を昨日の電力量、電力量演算手段２０からの消費電力量を今日の電力量として今日の電力量が昨日より「多い」、「同じ」、「少ない」の判定を行い、制御手段２３に出力する。
【００８３】
制御手段２３は、切替手段２４の信号に基づき電力演算手段１３からの電力値か電力量演算手段２０からの電力量値または電力量比較手段２２からの比較結果または庫内温度を選択し、通信手段７に出力し、通信手段６は表示手段７にその信号を送信する。
【００８４】
以上のように構成された冷蔵庫の表示装置について、図９のフローチャートを用いてその動作を説明する。
【００８５】
まず、電源を投入した後、ステップ５０は温度検出手段１１１で温度センサ１０８の温度を検出し、ステップ５１は温度判定手段１１で冷凍室１０３の庫内温度を判定し、ステップ５２でＤＣコンプレッサ１０の運転回転数を送出し、ステップ５３でインバータ制御手段１２は、ＤＣコンプレッサ１０とファン１０６を運転する。
【００８６】
次にステップ５４で電力演算手段１３はインバータ制御手段１２からＤＣコンプレッサ１０を運転するデューティ値と温度判定手段１１から運転回転数を、外気温度検出手段１４から外気温度を入力し、ステップ５５で消費電力を電力演算手段１３で演算する。
【００８７】
次にステップ５６で、電力量演算手段２０は消費電力量を積算する。
【００８８】
次にステップ５７で電力量演算手段２０が２４時間電力量を積算したかを判断し、２４時間積算すればステップ５８で電力量比較手段２２、電力量記憶手段２１に今日の電力量を出力し、電力量比較手段２２は電力量記憶手段２１から昨日の電力量を入力し、今日の電力量と比較して今日の電力量が昨日より「多い」、「同じ」、「少ない」の判定を行い、制御手段２３に出力する。
【００８９】
次にステップ５９で電力量記憶手段２１は、電力量演算手段２０から出力された今日の電力量を昨日の電力量として記憶し、次回から電力量演算手段２０は新たに２４時間の消費電力量の積算を開始する。ステップ５８の比較結果は、次回の電力量比較有効である。
【００９０】
ステップ５７で２４時間積算していなければステップ６０に進む。
【００９１】
ステップ６０で制御手段２３は切替手段２４が温度表示になっているかの判段を行い、温度表示であればステップ６１で温度検出手段１１１から庫内温度を入力しその内容を通信手段６に出力する。
【００９２】
また、ステップ６０で温度表示になっていなけらばステップ６２で電力表示か或いは電力量表示かの判断を行い、電力表示であればステップ６３で電力演算手段１３から電力を入力し、その内容を通信手段６に出力する。
【００９３】
ステップ６２で電力量表示になっていなけらばステップ６４で電力量表示か或いは比較結果表示かの判断を行い、電力量表示であればステップ６５今日の電力量か，昨日の電力量かの判断を行い、今日の電力量であればでステップ６６で電力量演算手段２０から電力量を入力し、その内容を通信手段６に出力し、昨日の電力量であればでステップ６７で電力量記憶手段２１から電力量を入力し、その内容を通信手段６に出力し、比較結果であればステップ６８で電力量比較手段２２から比較結果を入力し、その内容を通信手段６出力する。
【００９４】
そしてステップ６９で通信手段６は制御手段２３からの内容を表示手段７に出力し、ステップ７０で表示手段７は送信された内容を表示する。
【００９５】
本実施の形態では電力量の比較結果で記述したが、電力代の比較を行いそれを表示しても何ら変わるものではない。
【００９６】
このように、電力量の比較結果を表示するので、前日に対する今日の電力量の増減或いは先月に対する今月の電力量の増減を表示することができ、使用者に消費電力量の変化を知らせることができる。
【００９７】
また、表示する電力量を昨日の電力量と今日の電力量で切りかえることが出きるため、実際の電力量も知らせることが出きる。
【００９８】
【発明の効果】
以上説明したように本発明の請求項１に記載の発明は、ＤＣモータを搭載したＤＣコンプレッサとＤＣコンプレッサを駆動し、ＤＣコンプレッサの駆動デューティを出力するインバータ制御手段から消費電力を演算する電力演算手段と、電力演算手段で演算された電力を表示手段に出力する制御手段と、制御手段の出力により電力を表示する表示手段を備えたものであり、電流検出をする必要がなく電力を演算でき、また収納庫の電力を表示し、使用者に現在の消費電力を知らせることができる。
【００９９】
請求項２に記載の発明は、電力演算手段で演算された電力から消費電力量を演算する電力量演算手段と、電力量演算手段で演算された電力量を表示手段に出力する制御手段を備えたものであり、収納庫の電力量を表示し、使用者に１日或いは１ヶ月間の消費電力量を知らせることができる。
【０１００】
請求項３に記載の発明は、収納庫の周辺の外気温度を検出する外気温度検出手段と、外気温度検出手段で検出された外気温で電力を補正する制御手段を備えたものであり、外気温度により消費電力の補正をすることができ電力量の精度の向上が図ることができる。
【０１０１】
請求項４に記載の発明は、電力量を記憶する電力量記憶手段と、電力量記憶手段に記憶された電力量と電力量演算手段で演算された電力量を比較する電力量比較手段と、電力量比較手段で比較された結果を表示手段に出力する制御手段を備えたものであり、前日に対する今日の電力量の増減或いは先月に対する今月の電力量の増減を表示することができ、使用者に消費電力量の変化を知らせることができる。
【０１０２】
請求項５に記載の発明は、単位あたりの電力代を記憶した電力代記憶手段と電力量演算手段で演算された電力量を乗算する電力代演算回路と乗算結果を表示手段に出力する制御手段を備えたものであり、電気代を表示することできる。
【図面の簡単な説明】
【図１】  本発明の参考例１における表示装置のブロック図
【図２】  本発明の参考例１における表示装置の動作を説明するためのフローチャート
【図３】  本発明の実施の形態１における表示装置のブロック図
【図４】  本発明の実施の形態１における表示装置の動作を説明するためのフローチャート
【図５】  本発明の実施の形態１におけるインバータ制御手段のブロック図
【図６】  本発明の実施の形態１におけるインバータ制御手段の動作を説明するタイミングンチャート
【図７】  本発明の実施の形態１における回転数別のデューティと電力の関係を示す特性図
【図８】  本発明の実施の形態２における表示装置のブロック図
【図９】  本発明の実施の形態２における表示装置の動作を説明するためのフローチャート
【図１０】  従来の冷蔵庫の制御装置を示すブロック図
【図１１】  従来の冷蔵庫の制御装置を示すフローチャート
【符号の説明】
１    電流検出手段
２    電力演算手段
３    電力量演算手段
４    制御手段
５    切替手段
６    通信手段
７    表示手段
１０  ＤＣコンプレッサ
１２  インバータ制御手段
１３  電力演算手段
１４  外気温度検出手段
１５  電力代演算手段
１６  電力代記憶手段
１７  電力代入力手段
１８  制御手段
１９  切替手段
２０  電力量演算手段
２１  電力量記憶手段
２２  電力量比較手段
２３  制御手段
２４  切替手段
【図１】
0004682414.tif 000002
【図２】
0004682414.tif 000003
【図３】
0004682414.tif 000004
【図４】
0004682414.tif 000005
【図５】
0004682414.tif 000006
【図６】
0004682414.tif 000007
【図７】
0004682414.tif 000008
【図８】
0004682414.tif 000009
【図９】
0004682414.tif 000010
【図１０】
0004682414.tif 000011
【図１１】
0004682414.tif 000012